(57)【要約】  容器と、容器内に固定された挿入物とを有するディスペンサアセンブリ。挿入物は、製品収容スペースを画定する製品カートリッジと、ディスペンサ受け部を有する分与本体とを含む。製品収容スペースは第１の開口部を有し、それを通じて製品が出る。ディスペンサ受け部は、第１の開口部から少なくとも部分的にオフセットした第２の開口部を有し、それを通じて製品がディスペンサ受け部に入る。ディスペンサアセンブリは、第１の位置と第２の位置との間において動くボタンを含む、挿入物に取り付けられた押しボタンアセンブリをさらに含む。ボタンはその中に画定されたオリフィスを有し、オリフィスは、ボタンが第１の位置と第２の位置との間において動くときに第１の開口部と第２の開口部との間における製品の伝達を可能にするように、第１の位置にあるときには第１の開口部または第２の開口部の１つと連通しており、第２の位置にあるときには第１の開口部または第２の開口部のもう一方と連通している。
2014521569.tif 000002
【特許請求の範囲】
【請求項１】
容器と、
前記容器内に固定された挿入物であって、前記挿入物が、製品収容スペースを画定する製品カートリッジと、ディスペンサ受け部を有する分与本体と、を含み、前記製品収容スペースが、第１の開口部であって、前記容器内に前記製品カートリッジが配置されているときには、分与動作時、前記第１の開口部を通じて前記製品収容スペースから製品が出る第１の開口部を有し、前記ディスペンサ受け部が、第２の開口部であって、分与動作時、前記第２の開口部を通じて製品が前記ディスペンサ受け部に入る第２の開口部を有し、前記第１の開口部が前記第２の開口部から少なくとも部分的にオフセットしており、前記製品カートリッジが、前記製品カートリッジが前記容器内に配置されていないときには製品が前記第１の開口部を通過することを防止するように構成されている扉を含む、挿入物と、
前記挿入物に取り付けられた押しボタンアセンブリであって、前記押しボタンアセンブリが、第１の位置と第２の位置との間において動くボタンを含み、前記押しボタンアセンブリが前記第１の位置と前記第２の位置との間において動くと前記ボタンが前記第１の開口部と前記第２の開口部との間における製品の伝達を可能にするように、前記押しボタンアセンブリが、前記ボタンが前記第１の位置にあるときには前記第１の開口部または前記第２の開口部の１つと連通し、前記ボタンが前記第２の位置にあるときには前記第１の開口部または前記第２の開口部のもう一方と連通するオリフィスを有する、押しボタンアセンブリと、
を含む、ディスペンサアセンブリ。
【請求項２】
前記押しボタンアセンブリが前記第１の位置に向かって付勢されている、請求項１に記載のディスペンサアセンブリ。
【請求項３】
前記押しボタンアセンブリが、ボタンと、前記押しボタンアセンブリを前記第１の位置に向かって付勢している少なくとも１つのばねと、を含む、請求項２に記載のディスペンサアセンブリ。
【請求項４】
前記少なくとも１つのばねが前記ボタンの側部表面から延びる２つのばねを含む、請求項３に記載のディスペンサアセンブリ。
【請求項５】
前記押しボタンアセンブリが前記分与本体内に画定されたスリーブ内に収容されている、請求項１〜４のいずれか一項に記載のディスペンサアセンブリ。
【請求項６】
押しボタンアセンブリが、ボタンと、前記押しボタンアセンブリを前記第１の位置に向かって付勢している少なくとも１つのばねと、を含み、前記少なくとも１つのばねが前記ボタンの側部表面から延びており、前記スリーブが少なくとも１つのスロットを画定し、前記少なくとも１つのスロットを通じて前記少なくとも１つのばねが延びる、請求項５に記載のディスペンサアセンブリ。
【請求項７】
前記第１の位置が前記第２の位置の垂直上方に位置する、請求項１〜６のいずれか一項に記載のディスペンサアセンブリ。
【請求項８】
前記オリフィスが、前記第１の位置にあるときには前記第１の開口部と連通し、前記第２の位置にあるときには前記第２の開口部と連通している、請求項１〜７のいずれか一項に記載のディスペンサアセンブリ。
【請求項９】
前記容器が前記挿入物の形状と相補的な形状を有する容器基部を含む、請求項１〜８のいずれか一項に記載のディスペンサアセンブリ。
【請求項１０】
前記容器が、容器基部と、ヒンジによって前記容器基部に連結された容器蓋と、を含む、請求項１〜９のいずれか一項に記載のディスペンサアセンブリ。
【請求項１１】
前記製品カートリッジが、前記分与本体に隣接した前部アセンブリと、前記製品収容スペースを画定するハウジングと、を含む、請求項１〜１０のいずれか一項に記載のディスペンサアセンブリ。
【請求項１２】
前記前部アセンブリが前記第１の開口部を画定する、請求項１１に記載のディスペンサアセンブリ。
【請求項１３】
前記第１の開口部と前記第２の開口部との間に通路が延在する、請求項１〜１２のいずれか一項に記載のディスペンサアセンブリ。
【請求項１４】
前記押しボタンアセンブリが前記通路内に配置されている、請求項１３に記載のディスペンサアセンブリ。
【請求項１５】
前記扉が前記前部アセンブリに枢動自在に連結されている、請求項１１または１２に記載のディスペンサアセンブリ。
【請求項１６】
前記分与本体が、前記製品カートリッジが前記容器内に収容されているときに前記扉を前記開位置に維持するために前記第１の開口部内に延在するフードを含む、請求項１５に記載のディスペンサアセンブリ。
【請求項１７】
ディスペンサアセンブリ用の取り外し可能な挿入物であって、
製品収容スペースを画定する製品カートリッジと、
前記ディスペンサアセンブリと連通している製品カートリッジ開口部と、
前記取り外し可能な挿入物が前記ディスペンサアセンブリの容器内に収容されているときには開位置に維持されており、前記取り外し可能な挿入物が前記ディスペンサアセンブリから取り外されるときには閉位置に維持されている扉と、
を含む、取り外し可能な挿入物。
【請求項１８】
少なくとも部分的に前記製品カートリッジ開口部内に嵌合する前部アセンブリをさらに含み、前記前部アセンブリが前部アセンブリ開口部を有する前壁を有する、請求項１８に記載の取り外し可能な挿入物。
【請求項１９】
前記前部アセンブリ開口部が、少なくとも１つの製品ユニットが前記前部アセンブリ開口部を通過することを可能にするようなサイズにされている、請求項１８に記載の挿入物。
【請求項２０】
前記扉が前記前部アセンブリ開口部上に固定されている、請求項１９に記載の挿入物。
【請求項２１】
前記扉が前記挿入物に枢動自在に取り付けられている、請求項１７〜２０のいずれか一項に記載の挿入物。
【請求項２２】
前記挿入物に製品が事前充填されている、請求項１７〜２１のいずれか一項に記載の挿入物。
【請求項２３】
前記製品が食品製品である、請求項２２に記載の挿入物。
【請求項２４】
前記製品が医薬製品である、請求項２２に記載の挿入物。
【請求項２５】
前記製品がたばこ製品である、請求項２２に記載の挿入物。
【請求項２６】
前記製品が菓子類製品である、請求項２２に記載の挿入物。
【請求項２７】
前記挿入物が再利用可能アセンブリの使い捨て構成要素である、請求項１７〜２６のいずれか一項に記載の挿入物。
【請求項２８】
前記挿入物が密閉された使い捨てパッケージである、請求項１７〜２７のいずれか一項に記載の挿入物。
【発明の詳細な説明】
【技術分野】
【０００１】
本発明は、ディスペンサアセンブリおよびディスペンサアセンブリのための取り外し可能な挿入物に関する。
【背景技術】
【０００２】
「クラムシェル」および／または「フラットパック」型の湿密容器は、基部シェルと、蓋シェルと、ヒンジと、クロージャとで形成されることが多い。クラムシェル型容器の例は米国特許出願公開第２０１１／００７３６１０号明細書、米国仮特許出願第６１／６６０，９２２号明細書および国際出願ＰＣＴ／ＵＳ２０１２／０２５８１３号明細書に開示されており、そのそれぞれを完全に説明するかのように参照によって本明細書中に組み込む。そのような容器は、数ある製品の中でも、食品、医薬品、たばこ製品および菓子類を包装するのに有用である。米国仮特許出願第６１／４４５，８６９号明細書は、さらに、クラムシェル型パッケージ内に収容された製品を分与するための挿入物のいくつかの実施形態を開示している。これら挿入物は、ディスペンサの製品収容スペースから、使用者が製品にアクセスすることができるディスペンサ受け部への製品の分与を調節する。製品を製品収容スペース内において容易に入れ替えることができ、かつ製品をそのような配置または入れ替えまで製品収容スペース内において湿密環境内に収容することができる同様の挿入物に対する需要がある。
【発明の概要】
【課題を解決するための手段】
【０００３】
本発明はディスペンサアセンブリに関する。ディスペンサアセンブリは、容器と、容器内に固定された挿入物とを含む。挿入物は、製品収容スペースを画定する製品カートリッジと、ディスペンサ受け部を有する分与本体とを含む。製品収容スペースは第１の開口部を有し、分与動作時、そこを通じて製品収容スペースから製品が出る。ディスペンサ受け部は第２の開口部を有し、そこを通じて製品がディスペンサ受け部に入る。特定の実施形態によれば、第１の開口部は第２の開口部から少なくとも部分的にオフセットしている。ディスペンサアセンブリは押しボタンアセンブリをさらに含む。押しボタンアセンブリは、第１の位置と第２の位置との間において動くボタンを含む。押しボタンアセンブリはオリフィスを含むが、このオリフィスは、押しボタンアセンブリが第１の位置と第２の位置との間において動くと、第１の開口部と第２の開口部との間における製品の伝達を可能にするように、ボタンが第１の位置にあるときには第１の開口部または第２の開口部の１つと連通し、ボタンが第２の位置にあるときには第１の開口部または第２の開口部のもう一方と連通する。
【０００４】
本発明は、さらに、ディスペンサアセンブリのための取り外し可能な挿入物に関する。挿入物は、製品収容スペースを画定する製品カートリッジを含み、その中にディスペンサアセンブリと連通する製品カートリッジ開口部が画定される。挿入物は、挿入物がディスペンサアセンブリの容器内に配置されたときに閉位置から開位置に動く扉をさらに含む。
【図面の簡単な説明】
【０００５】
【図１】ディスペンサアセンブリの一実施形態の上部斜視図である。
【図２】図１の線２−２に沿って切った断面図である。
【図３】製品カートリッジが容器基部内に一部挿入された図１のディスペンサアセンブリの長手方向断面図である。
【図４】製品カートリッジを容器基部内に挿入する次の段階にある、図３に示すディスペンサアセンブリの長手方向断面図である。
【図５】製品カートリッジが容器基部内に完全に挿入されたディスペンサアセンブリを示す、図１の線５−５に沿って切った長手方向断面図である。
【図６】容器基部内に完全に挿入された製品カートリッジと、製品の分与を可能にするために押下位置にある押しボタンとを示す、図１に示すディスペンサアセンブリの長手方向断面図である。
【図７】ディスペンサアセンブリと共に使用するための例示的な容器基部の上部斜視図である。
【図８】ディスペンサアセンブリの製品カートリッジ前部アセンブリの左側後部斜視図である。
【図９】図８の製品カートリッジ前部アセンブリの上面図である。
【図１０】図８の製品カートリッジ前部アセンブリの正面図である。
【図１１】図８の製品カートリッジ前部アセンブリの右側後部斜視図である。
【図１２】図８の製品カートリッジ前部アセンブリの右側面図である。
【図１３】ディスペンサアセンブリの製品カートリッジハウジングの前部斜視図である。
【図１４】図１３の製品カートリッジハウジングの後部斜視図である。
【図１５】製品カートリッジハウジングに組み付けられた製品カートリッジ前部アセンブリの底部斜視図である。
【図１６】ディスペンサアセンブリの押しボタンアセンブリの後部斜視図である。
【図１７】図１６の押しボタンアセンブリの後部斜視図である。
【図１８】図１６の押しボタンアセンブリの底面図である。
【図１９】ディスペンサアセンブリの分与本体の後部斜視図である。
【図２０】図１９の分与本体の右側面図である。
【図２１】図１９の分与本体の底部斜視図である。
【発明を実施するための形態】
【０００６】
前述の記載における特定の用語は利便性のために使用されるものであり、本発明の範囲を限定することを意図するものではない。「前部」、「後部」、「上部」および「底部」などの語は、参照した図面における方向を示す。この用語は、特に上記した語、その派生語および同様の意味の語を含む。さらに、「ａ」および「１つの（ｏｎｅ）」という語は、特に明記されない限り参照した項目の１つまたは複数を含むものとして定義される。「の少なくとも１つ（ａｔ  ｌｅａｓｔ  ｏｎｅ  ｏｆ）」という文言に続く、「Ａ、ＢまたはＣ」などの２つ以上の項目の列挙は、Ａ、ＢまたはＣの個々のいずれか１つ、ならびにその任意の組み合わせを意味する。
【０００７】
本発明によるディスペンサアセンブリ１０の一実施形態を図１〜６に示す。示されるように、ディスペンサアセンブリは、容器基部２０と、容器基部２０内に挿入するための分与挿入物１２とを含む。分与挿入物１２は、取り外し可能な製品カートリッジ３０と、分与本体６０と、押しボタンアセンブリ８０とを含む。
【０００８】
まず図７を参照すると、本発明によるディスペンサアセンブリと共に使用するための例示的な容器基部２０が示される。示されるように、容器基部２０は、底壁２２と、４つの上向きに垂下する側壁２４Ａ〜Ｄとを含む。容器蓋の取り付けのためにヒンジ２６を提供してもよい。ディスペンサアセンブリを開けるときに蓋からの容器基部２０の係脱を可能にするための解除ボタン２８Ａ、２８Ｂを提供してもよい。容器基部の１つの構成を図７に詳細に示すが、本発明の分与システムは、図面に示される基部ならびに他の構成の基部を有する種々のタイプの容器と共に使用できることを理解すべきである。適切な容器および容器基部の他の例は米国特許第８，１００，２８８号明細書、米国特許出願公開第２０１１／００７３６１０号明細書、ならびに米国仮特許出願第６１／６６０，９２２号明細書に開示されており、そのそれぞれを完全に説明するかのように参照によって本明細書中に組み込む。本発明の容器基部２０は、取り外し可能な製品カートリッジ３０と、分与本体６０と、押しボタンアセンブリ８０とを含む分与挿入物１２を収容するように構成されており、これら全てを以下に詳細に説明する。
【０００９】
図８〜１５は、製品カートリッジ３０の構成要素を詳細に示す。示されるように、製品カートリッジ３０は、前部アセンブリ３２とハウジング５０とを含む。図３〜６に示すように、分与挿入物１２が容器基部２０内に配置されると、製品カートリッジ３０の前部アセンブリ３２は分与本体６０に隣接する。図８〜１２に示すように、前部アセンブリ３２は第１の開口部３６を有する前壁３４を含む。扉３８が開口部３６の上部縁端に枢着されている。側壁４０、４２を結合する底壁４４が延びるように対向側壁４０、４２が前壁３４から延びる。側壁４０、４２と底壁４４との間に延びる支持壁４６、４８を、角度を付けて提供してもよい。図１２に最も良く示すように、前壁３４は角度をなして底壁４４から延びる。
【００１０】
ハウジング５０は図１３〜１５に詳細に示す。示されるように、ハウジング５０は側壁５１Ａ〜Ｄを含み、側壁５１Ａ〜Ｄは、ディスペンサアセンブリ１０を使用して分与される製品を収容するためのハウジング５０内に製品収容スペース５２を画定する。ハウジング５０は、容器基部２０の一部分内に嵌合し、かつ容器基部２０の一部分を占めるような形状にされている。示される実施形態では、容器基部２０は略矩形形状を有し、ハウジング５０の一部は容器基部２０の側壁２４Ａ〜Ｃ内に嵌合するように構成された同様の相手外形を有する。側壁５１Ａ〜Ｄは、また、ハウジングが製品カートリッジ３０内に適切に配置されると、ハウジング５０の前部部分の、容器基部２０（すなわち側壁２４Ａ〜Ｄに対してではない）の中心部分内に配置される位置に開口部５４を画定する。開口部５４は、前部アセンブリ３２の少なくとも側壁４０、４２および底壁４４の挿入を受け入れるように構成されている。さらに、開口部５４に沿う側縁部５６、５８は前部アセンブリ３２の前壁３４と同じ角度で配置されているため、図１５に示すように、前壁３４は縁部５６、５８に対して同じ高さで取り付けられ、開口部５４の少なくとも一部をカバーする。
【００１１】
図１９〜２１に分与本体６０を詳細に示す。示されるように、分与本体６０は、カートリッジ前部アセンブリ３２の前壁３４の角度と相補的な角度で配置された後壁６２を含む。一実施形態によれば、分与本体６０は、カートリッジハウジング５０により占有されていない容器基部２０内部のスペースを実質的に占有するのに適した形状のものであり、示される実施形態においてはその矩形形状の一部を形成する。図１に示すように、分与本体６０およびカートリッジ３０が容器基部２０内に挿入される場合、カートリッジ前壁３４と分与本体後壁６２は当接している。開口部６４は、分与本体後壁６２内の、前壁内の第１の開口部３６の位置に合致する位置に配置されている。フード９２が開口部６４上および部分的に周囲に延在し、後壁６２から外側に延びている。上壁６６が分与本体６０の上部の全体にわたり略水平に延在し、その頂面を画定する。分与された製品１４にアクセスするためのディスペンサ受け部６８が、上壁６６から、および分与本体６０内に延在する。図２１に示すように、通路７０が、分与本体後壁６２内の開口部６４と、ディスペンサ受け部６８内に形成された第２の開口部７８との間に延在する。以下に詳細に記載されるように、通路７０および相手開口部３６、６４は、分与時、カートリッジ３０からディスペンサ受け部６８に製品１４が移動することを可能にする。
【００１２】
示される実施形態によれば、通路７０は、押しボタンアセンブリ８０の少なくとも一部の摺動可能な変位を可能にするように構成されたスリーブ７２を含む。押しボタンアセンブリ８０は、図１６〜１８に示すように、ボタン８２と、少なくとも１つのばね８４、８６と、オリフィス８８とを含む。オリフィス８８はボタン８２内または下に画定してもよい。特定の実施形態によれば、押しボタンアセンブリ８０は、また、オリフィス８８の下に配置された脚８５を含んでもよい。押しボタンアセンブリ８０は通路７０内に配置され、通路７０を遮断する。オリフィス８８の少なくとも一部はボタン８２の円筒状の壁内に配置してもよく、かつ１つまたは複数個の製品１４を受容するための大きさにされている。押しボタンアセンブリ８０の少なくとも一部は分与本体８０のスリーブ７２内に収容されており、スリーブ７２はボタン８２の形状と相補的な形状を有する。さらに、脚８５を含む実施形態では、押しボタンアセンブリ８０が第１の位置または垂直方向上方位置にあるときに、製品１４が通路７０を通過することを妨げるため、脚８５の少なくとも一部を通路７０の一部内に嵌合するように構成してもよい。さらに、特定の実施形態によれば、以下に記載されるように、分与プロセス時、脚８５は、また、製品１４を上方向または下方向に移動させるときに製品１４の支持を提供してもよい。作動部９０がスリーブの上からおよび分与本体の上壁６６の上に突出するため、作動部９０を押下することができ、ボタン８２を、図１〜５に示す第１の位置から、図６に示す、第２の、すなわち垂直方向下方の位置まで垂直方向下方に動かす。第２の位置にある場合、通路７０内を通り、オリフィス８８内に入る製品１４の動きを可能にするため、少なくともオリフィス８８の位置は通路７０と全般的に整列している。図１６〜１８に示される実施形態によれば、押しボタンアセンブリ８０は２つのばね８４、８６を含む。示される実施形態では、ばね８４、８６は、ボタン８２の円筒状の壁の対向側部表面から外側かつ下方に角度をなして延びる脚として形成される。図１〜５に示すように、ばね８４、８６のそれぞれの端部は容器基部２０の底壁２２に当接して、押しボタンアセンブリ８０を第１の、すなわち閉位置に付勢する。ばね８４、８６は、分与本体６０のスリーブ７２内に画定されたスロット７４、７６内に延在する。さらに、押しボタンアセンブリ８０は、押しボタンアセンブリ８０が第１の位置にあるときにオリフィス８８の位置を調節するためにディスペンサ本体６０に係合するように構成された突起８７を含んでもよい。
【００１３】
上述のように、カートリッジ３０は本発明のディスペンサアセンブリ１０により分与するための製品１４を収容する。一実施形態において、容器基部２０および／または分与本体６０アセンブリが再利用可能な構成要素として供給される一方で、カートリッジ３０は製品１４が事前充填された交換可能な構成要素として供給される。そのような実施形態によれば、カートリッジ３０は、まず、例えば、密閉された使い捨てパッケージ内に、密閉されたアセンブリとして提供することができる。その後、密閉されたアセンブリをパッケージから取り出し、使用者による分与のためディスペンサアセンブリ１０内に挿入することができる。ディスペンサアセンブリ１０は、その後、製品１４の保存のため密閉された容器内に収容される。
【００１４】
図３〜５を参照すると、容器基部２０内のカートリッジ３０のアセンブリが詳細に記載されている。図３は、容器基部２０内に部分的に挿入されたカートリッジ３０を示す。この段階において、扉３８は、製品収容スペース５２内に製品１４を保持するために閉位置に維持されている。図４は、カートリッジ３０を容器基部２０内に挿入する次の段階を示す。この段階において、分与本体後壁６２のフード９２がカートリッジ扉３８に接触し、カートリッジ扉３８をカートリッジ３０に対して内側に枢動させ、第１の開口部３６を露出させる。図５では、カートリッジ３０は容器基部２０内に完全に挿入されており、扉３８はフード９２によって完全に開位置に維持されており、分与時、製品１４が開口部３６、６４を通過することを可能にしている。
【００１５】
図２、５および６を参照すると、ディスペンサアセンブリ１０の分与動作が詳細に記載されている。図５および図６に示すように、特定の実施形態によれば、第１の開口部３６の底部が第２の開口部７８よりも低い高さにあるように、ディスペンサ受け部６８の第２の開口部７８は製品カートリッジ３０の第１の開口部３６から垂直方向（図５に「Ｖ」で示される）にオフセットしている。さらに、開口部３６、７８は、製品収容スペース５２からディスペンサ受け部６８への製品１４の通過を防止するために十分な距離だけオフセットしており、押しボタンアセンブリ８０の変位はない。さらに、図１、２および５に示される位置にある場合、押しボタンアセンブリ８０は開口部３６と開口部７８との間における製品１４の通過を遮断するように構成されている。他の実施形態によれば、第１の開口部３６および第２の開口部７８は垂直方向にずれていなくてもよく、第１の開口部３６は第２の開口部７８よりも高い高さにあってもよい。そのような実施形態によれば、押しボタンアセンブリ８０が第２の位置に変位されると、製品１４はオリフィス８８内を通過し、ディスペンサ受け部６８まで移動を継続してもよい。
【００１６】
示される実施形態によれば、分与動作を開始するため、使用者がボタン８２を、図６に示される方向Ｐに押下し、それによって、オリフィス８８を第１の開口部３６と連通した状態に整列し、かつ配置してもよい。その後、使用者は、製品収容スペース５２内に収容された少なくとも１個の製品１４が開口部３６、６４内を通路７０まで移動してオリフィス８８に入り、脚８７上に配置されるようにパッケージを傾けてもよい。オリフィス８８がディスペンサ受け部６８の第２の開口部７８に全般的に整列し、かつそれと連通するように、その後、使用者はボタン８２を解除し、それによって、ばね８４、８６が押しボタンアセンブリ８０を上方に押しやることを可能にしてもよい。その後、使用者がパッケージを傾けてもよく、その後、製品１４は、オリフィス８８から出て、使用者がそれを取り出すことができるディスペンサ受け部６８内に入ってもよい。
【００１７】
別の実施形態によれば、押しボタンであるよりもむしろ、ボタン８２は略円形方向に回転させてもよい。そのような実施形態によれば、開口部３６、７８は垂直方向にオフセットしてもしていなくてもよい。ボタン８２内のオリフィス８８は、開口部３６、７８のいずれかと連通状態において付勢されるように、とりわけばねまたはコイルによって付勢してもよい。オリフィス８８がディスペンサ受け部の第２の開口部７８と連通状態で付勢される実施形態によれば、製品収容スペース５２内に収容された製品１４がオリフィス８８内に移動することができるように、オリフィス８８がカートリッジの第１の開口部と連通するまでボタン８２を回転させる。製品１４がオリフィス８８内に配置されるとボタン８２を解除してもよく、その後、オリフィス８８がディスペンサ受け部の開口部６８と連通状態に戻るようにボタン８２を回転させ、オリフィス６８内に収容された製品１４をディスペンサ受け部６８内に移動してもよい。
【００１８】
本発明の好適な実施形態を上に詳細に記載したが、本発明は記載した特定の実施形態に限定されるものではなく、それらは単に例示的なものであるとみなすべきである。
【符号の説明】
【００１９】
１０  ディスペンサアセンブリ
１２  分与挿入物
１４  製品
２０  容器基部
２２  底壁
２４Ａ〜Ｄ  側壁
２６  ヒンジ
２８Ａ〜Ｂ  解除ボタン
３０  製品カートリッジ
３２  前部アセンブリ
３４  前壁
３６  第１の開口部
３８  扉
４０  側壁
４２  側壁
４４  底壁
４６  支持壁
４８  支持壁
５０  ハウジング
５２  製品収容スペース
５１  側壁
５４  開口部
５６  側縁部
５８  側縁部
６０  分与本体
６２  後壁
６４  開口部
６６  上壁
６８  ディスペンサ受け部
７０  通路
７２  スリーブ
７４  スロット
７５  脚
７６  スロット
７８  第２の開口部
８０  押しボタンアセンブリ
８２  ボタン
８４  ばね
８６  ばね
８７  突起
８８  オリフィス
９０  作動部
９２  フード
【図１】
2014521569.tif 000003
【図２】
2014521569.tif 000004
【図３】
2014521569.tif 000005
【図４】
2014521569.tif 000006
【図５】
2014521569.tif 000007
【図６】
2014521569.tif 000008
【図７】
2014521569.tif 000009
【図８】
2014521569.tif 000010
【図９】
2014521569.tif 000011
【図１０】
2014521569.tif 000012
【図１１】
2014521569.tif 000013
【図１２】
2014521569.tif 000014
【図１３】
2014521569.tif 000015
【図１４】
2014521569.tif 000016
【図１５】
2014521569.tif 000017
【図１６】
2014521569.tif 000018
【図１７】
2014521569.tif 000019
【図１８】
2014521569.tif 000020
【図１９】
2014521569.tif 000021
【図２０】
2014521569.tif 000022
【図２１】
2014521569.tif 000023
【国際調査報告】
2014521569.tif 000024
2014521569.tif 000025